(57)【要約】【課題】投資効率のよいアースコンタクトを使用した電気コネクタを提供する。【解決手段】  アースコンタクト５のアース本体５１から一方の面に取付パネル２と接触するための第一接触片５２を形成し、他方の面からシールドコンタクト８と接触する第二接触片５５を形成した同一形状のアースコンタクト５をコネクタハウジング３の各極のアースコンタクト収容部３７に固定した電気コネクタ１。【選択図】図１
2016197584.tif 000002
【特許請求の範囲】
【請求項１】
シールド電線に接続した電気コンタクトをコネクタハウジングに収容する電気コネクタでにおいて、
前記電気コンタクトはシールド電線の芯線と接続する内部コンタクトと、シールド線と接続するシールドコンタクトを有し、
前記コネクタハウジングには極数ごとに形成されたアースコンタクト収容部を有し、前記アースコンタクト収容部ごとに、前記シールドコンタクトと前記コネクタを取り付ける取付パネルとを導通させるための同形状のアースコンタクトを有する電気コネクタ。
【請求項２】
前記アースコンタクトは平板状の金属性導体に一方の面に前記シールドコンタクトと接触する第一接触片と、他方の面に前記取付パネルと接触する第二接触片を有する請求項１記載の電気コネクタ。
【請求項３】
前記第一接触片は複数の接触片を有する請求項２記載の電気コネクタ
【請求項４】
前記第二接触片は複数の接触片を有する請求項２記載の電気コネクタ
【請求項５】
前記アースコンタクトは前記コネクタハウジングの前縁に固定される請求項１から４のいずれかに記載の電気コネクタ。
【請求項６】
前記電気コネクタを取付パネルに取り付け相手側コネクタと嵌合させるとき、内部コンタクトが相手側コネクタのコンタクトと接触する前に前記アースコンタクトが取り付けパネルに接触するようコネクタハウジングに固定されている請求項１記載の電気コネクタ。
【発明の詳細な説明】
【技術分野】
【０００１】  本発明は、電気コネクタに関する。特に、パネル基板に取り付けられる電気コネクタであって、シールド電線を接続させる電気コネクタの構造に関する。
【背景技術】
【０００２】  シールド電線を接続させるコネクタとして下記特許文献１にコネクタの発明が開示されている。下記特許文献１に開示されたコネクタの発明は、コネクタハウジングの内部にはシールド電線の先端に接続された電気接続子を収容可能な接続子収容部と、この接続子収容部へ臨むアース収容部内に組み付けられ前記電気接続子の一側面に接触可能なアース端子と、前記接続子収容部に対し前記アース端子が設けられる側と反対側から臨むよう、前記コネクタハウジングの側面から穿孔されたリテーナ装着口と、このリテーナー装着口から挿入されて前記電気接続子を抜け止めするリテーナーからなる、としている。
【先行技術文献】
【特許文献】
【０００３】
【特許文献１】特開２０００−２１４８６号公報
【発明の概要】
【発明が解決しようとする課題】
【０００４】  特許文献１の図１を参照すると第１実施形態によるコネクタの分解斜視図が記載され、図６のには第１実施形態のアース端子の平面図が記載されている。
また、図１８には第２実施形態によるコネクタハウジングが記載され、図２４には第２実施形態におけるアース端子の平面図が記載されている。【０００５】  特許文献１の図１は第１実施形態のコネクタを組付ける前の様子を示したもので、コネクタにはコネクタハウジングと、このコネクタハウジングに収容される電気接続子と、電気接続子を抜止めするリテーナと電気接続子の外面に接触するアース端子が備えられている。【０００６】  特許文献１の図１８には第２実施形態のコネクタハウジングの平面図を示したもので、このコネクタハウジングには電気接続子を収容可能な接続子収容部が横２列に設けられている。【０００７】  特許文献１の第１実施形態と第２実施形態の違いは、コネクタハイジングにある電気接続子の収容可能な接続子収容部の数の違いによるものである。【０００８】  そのため、第１実施形態と第２実施形態で使用されるアース端子が、特許文献１の図６と図２４に記載されるように弾性接触片の数が異なることとなる。【０００９】  よって特許文献１の実施形態ではコネクタの極数に応じたアース端子を形成する必要が生じるため、極数に応じたアース端子を形成するための金型を準備する必要があり、設備費への投資が大きくなるという課題がある。【００１０】  本発明はこのような課題に対し、投資効率のよいアースコンタクトを備えたコネクタを提供することを目的とする。
【課題を解決するための手段】
【００１１】  上記課題を解決するために、以下のようなコネクタを発明するに至った。【００１２】  （１）シールド電線に接続した電気コンタクトをコネクタハウジングに収容する電気コネクタでにおいて、
前記電気コンタクトはシールド電線の芯線と接続する内部コンタクトと、シールド線と接続するシールドコンタクトを有し、
前記コネクタハウジングには極数ごとに形成されたアースコンタクト収容部を有し、前記アースコンタクト収容部ごとに、前記シールドコンタクトと前記コネクタを取り付ける取付パネルとを導通させるためのアースコンタクトを有する電気コネクタ。【００１３】  （２）前記アースコンタクトは平板状の金属性導体に一方の面に前記シールドコンタクトと接触する第一接触片と、他方の面に前記取付パネルと接触する第二接触片を有する（１）記載の電気コネクタ。【００１４】  （３）前記第一接触片は複数の接触片を有する（２）記載の電気コネクタ【００１５】  （４）前記第二接触片は複数の接触片を有する（２）記載の電気コネクタ【００１６】  （５）前記アースコンタクトは前記コネクタハウジングの前縁に固定される（１）から（４）のいずれかに記載の電気コネクタ。【００１７】  （６）前記電気コネクタを取付パネルに取り付け相手側コネクタと嵌合させるとき、内部コンタクトが相手側コネクタのコンタクトと接触する前に前記アースコンタクトが取り付けパネルに接触するようコネクタハウジングに固定されている（１）記載の電気コネクタ。
【発明の効果】
【００１８】  本発明による電気コネクタは極数によらず、共通したアースコンタクトを使用できるためアースコンタクトの金型を複数製作する必要がなくなり、設備投資を低く抑えることができる。
【図面の簡単な説明】
【００１９】
【図１】本発明の実施形態における電気コネクタの斜視図
【図２】本発明の実施形態におけるの電気コネクタ分解斜視図
【図３】本発明の実施形態におけるアースコンタクトの一方からの斜視図
【図４】本発明の実施形態におけるアースコンタクトの他方からの斜視図
【図５】Ａ  本発明の実施形態におけるアースコンタクトの正面図  Ｂ  本発明の実施形態におけるアースコンタクトの側面図  Ｃ  本発明の実施形態におけるアースコンタクトの背面図  Ｄ  本発明の実施形態におけるアースコンタクトの平面図
【図６】本発明の実施形態におけるコネクタハウジングの一部拡大斜視図
【図７】本発明の実施形態におけるコネクタハウジングの一部拡大図
【図８】本発明の実施形態におけるシールド電線付き電気コンタクトの斜視図
【図９】本発明の実施形態におけるシールド電線付き電気コンタクトの分解斜視図
【図１０】本発明の実施形態におけるパネル取付断面図（相手コネクタは省略）
【図１１】本発明の実施形態におけるパネル取付断面の一部拡大図
【図１２】本発明の実施形態における嵌合前の斜視図
【図１３】本発明の実施形態における使用状態の斜視図
【発明を実施するための形態】
【００２０】  以下、図面を参照して本発明を実施するための形態を説明する。但し、以下に示す実施形態は発明の技術思想を具体化するための電気コネクタを例示するものであって、本発明をこれに特定することをいとすすものではなく、特許請求の範囲に含まれるその他の実施形態に等しく適応し得るものである。
【００２１】  図１〜図９を参照して、本発明の実施形態における電気コネクタについて説明する。本発明における電気コネクタ１は図１に示すように、電気コネクタ１にはアースコンタクトが極数ごとにコネクタハウジング３の前端側から挿入固定され、シールド電線４に接続されたシールド電線付き電気コンタクト６がコネクタハウジング３の後端側から挿入され、スライダに６１より固定されている。
【００２２】  また、電気コネクタ３には防水効果をもたせるためゴムリング７１が装着され、ねじ７２により取付パネル２（筐体）に固定される。
【００２３】  取付パネル２には本発明の電気コネクタを取付け相手側コネクタと嵌合可能にするための嵌合用貫通孔２３とねじ７２を固定するためのねじ用貫通孔２１が設けられており、アースコンタクト５と接触するための立上り壁２２が嵌合用貫通孔２３から形成されている。
【００２４】  本実施形態では３極の電気コネクタとしたが、これに限定されるものでなく１極でも、２極以上でも問題はない。
【００２５】  図２は本発明の実施形態における電気コネクタ１を分解した斜視図でシールド電線付き電気コンタクト６を省略した図面である。
【００２６】  図２に示すようにコネクタハウジング３は前端側にアースコンタクト５が挿入されるアースコンタクト収容部３７が形成され、後端側にシール電線付き電気コンタクト６を固定するためのスライダ係止溝３２とスライダ係止用突起３３が形成され、前端側から後端側まで電気コンタクト収容部３８が貫通孔として形成されている。
【００２７】  また、コネクタハウジング３には前端と後端のほぼ中央に電気コネクタのピッチ方向両側面にパネル取付部３４が形成されており、パネル取付部３４にはブッシュ７３を取り付けるためのブッシュ取付貫通孔３５が形成されている。
【００２８】  さらに、コネクタハウジング３の前端とパネル取付部の間にはゴムリング７１を取り付けるためのゴムリング取付凹部が形成されている。
【００２９】  図３は本発明の実施形態におけるアースコンタクトの一方からの斜視図であり、図４は本発明の実施形態におけるアースコンタクトの他方からの斜視図である。
また、図５ＡはＡ本発明の実施形態におけるアースコンタクトの正面図、図５Ｂは本発明の実施形態におけるアースコンタクトの側面図、図５Ｃは本発明の実施形態におけるアースコンタクトの背面図、図５Ｄは本発明の実施形態におけるアースコンタクトの平面図である。
【００３０】  アースコンタクト５は１枚の板状の金属板をプレス加工により形成され、図３〜図５に示されたように、アースコンタクト本体５１から取付パネル２（筐体）と接触するための第一接触片５２がアースコンタクト本体５１から板状面の一方の面に第一折り曲げ部５４で折り曲げられ、シールドコンタクト８と接触する第二接触片５５がアースコンタクト本体５１から板状面の他方の面に第二折り曲げ部５７で折り曲げられている。
【００３１】  第一接触片５２には取付パネル２（筐体）と接触する第一接触部を備え、第二接触片５５にはシールドコンタクト８と接触する第二接触部を備えている。
【００３２】  また、アースコンタクト５にはコネクタハウジング３に固定するための圧入片５８を備え、圧入片５８には圧入部５９を有している。
【００３３】  本発明の実施形態では第一接触片５２を２つ形成したが、第一接触片５２は１つでも、３つ以上であってもよい。
【００３４】  さらに、第二接触片５５についても、本発明の実施形態では１つで形成しているが、複数であってもよい。
【００３５】  図６は本発明の実施形態におけるコネクタハウジングの一部拡大斜視図であり、図７は本発明の実施形態におけるコネクタハウジングの一部拡大図である。
【００３６】  図６と図７に示すようにコネクタハウジング３に形成されたアースコンタクト収容部３７には、アースコンタクト本体５１が挿入されるアースコンタクト収容溝３７ａ形成され、アースコンタクト５の第一接触片５２がコネクタハウジング上面３Ａから突出するために第一接触片収容切欠き３７ｂが形成され、アースコンタクト５の第二接触片５５がシールドコンタクト８と接触するよう電気コンタクト収容部３８に突出するために第二接触片収容切欠き３７ｃが形成されている。
【００３７】  また、アースコンタクト収容部３７の奥にはアースコンタクト５の圧入片５８が挿入される圧入片収容穴３７ｄが形成され、アースコンタクト５の圧入部５９が圧入片収容穴３７ｄの圧入片収容穴側壁３７ｅに圧入される。
【００３８】  図８は本発明の実施形態におけるシールド電線付き電気コンタクトの斜視図であり、図９は本発明の実施形態におけるシールド電線付き電気コンタクトの分解斜視図である。
【００３９】  図８と図９に示すようにシールド電線付き電気コンタクト６はシールド電線４、スライダ６１、ワイヤエンドシール６２、シールドコンタクト８、フェルール６３、ガイド樹脂スリーブ６４、６５、内部コンタクト９、絶縁キャップ６６から構成されている。
【００４０】  シールド電線付き電気コンタクト６の組立て方法は、まずシールド電線４を順にスライダ６１のスライダ貫通孔６１ａを通し、ワイヤエンドシール６２のワイヤエンドシール貫通孔６２ａを通し、シールドコンタクト貫通孔８ａを通し、フェルール６３のフェルール貫通孔６３ａを通す。
【００４１】  次に、シールド線４の芯線４１を内部コンタクト９の圧着部９ｄに圧着し、内部コンタクトの先端孔９ａに絶縁キャップ６６を取り付ける。
【００４２】  次に、ガイド樹脂スリーブ６４、６５の位置決めリブ６４ｃ、６５ｃを内部コンタクト９の位置決め穴９ｃに挿入し（６５ｃが挿入する位置決め穴９ｃは図示せず）、ガイド樹脂係止部６４ｂ、６５ｂを係止させる。
【００４３】  次に、フェルール６３をシールド線４３とシールドコンタクト８のかしめ部８ｃで挟める位置に移動させ、かしめ部８ｃを外側からかしめることにより、シールド電線４とフェルール６３とシールドコンタクト８を固定して、シールド電線付き電気コンタクトを組み立てる。
【００４４】  このときちょうどガイド樹脂スリーブ６４、６５のガイド樹脂スリーブ後端傾斜部６４ｄ、６５ｄがシールドコンタクト８のシールドコンタクト傾斜部８ｄに接触する構成にしておいてもよい。
【００４５】  また、本発明の実施形態における電気コネクタの組み立ては、図１、図２を参照してコネクタハウジング３のアースコンタクト収容部３７に、アースコンタクト５を挿入し、コネクタハウジング３のゴムリング取付凹部３６にゴムリング７１に取り付け、コネクタハウジング３のブッシュ取付貫通孔３５にブッシュ７３を取り付け、上記のとおり組み立てたシールド電線付き電気コンタクト６を電気コンタクト収容部３８にコネクタハウジング後端側から挿入し、スライダ６１のスライダ係止片６１ｂをスライダ係止溝３２に挿入し、スライダ係止用突起３３をスライダ係止部６１ｃに係止させる。
【００４６】  本発明の実施形態における電気コネクタでは特にゴムリング７１とブッシュ７３の取り付け順序はこだわる必要はなく、取り付けパネル２に電気コネクタ１を取り付けるまでに付加すればよい。
【００４７】  図１０は本発明の実施形態におけるパネル取付断面図（相手コネクタは省略）であり、図１１は本発明の実施形態におけるパネル取付断面の一部拡大図である。
【００４８】  図１０と図１１に示すように、取り付けパネル２とアースコンタクト５の第一接触片５２の第一接触部５３が接触し、第二接触片５５の第二接触部５６がシールドコンタクト８に接触し取り付けパネル２とアースコンタクト５とシールドコンククト８とシールド線４３が接続され同電位とすることができる。
【００４９】  図１２は本発明の実施形態における嵌合前の斜視図であり、図１３は本発明の実施形態における使用状態の斜視図である。
【００５０】  図１２と図１３に示すように、基板１２に固定され、取り付けパネル２の嵌合用貫通孔２３の下側から延出している相手側コネクタ１１に対し、電気コネクタ１を挿入し、嵌合させ、ねじ７２で固定させる。
【００５１】  電気コネクタ１を取り付けパネル２の固定位置に設置させると、相手側コネクタと嵌合するよう構成されているが、内部コンタクト９が相手側コネクタ１１のコンタクト（図示せず）と接触をする前に、アースコンタクト５が取り付けパネル２と接触するように設定してもよい。
【００５２】  次に、実施形態による電気コネクタ１の作用及び効果を説明する。従来技術によるとアース端子は極数ごと異なった形状で作成する必要があるが、図１から図１０を参照すると、アースコンタクト５のアース本体５１から一方の面に取付パネル２（筐体）と接触するための第一接触片５２を形成し、他方の面からシールドコンタクト８と接触する第二接触片５５を形成した同一形状のアースコンタクト５をコネクタハウジング３の各極のアースコンタクト収容部３７に固定することにより、シールド電線４のシールド線４３と取り付けパネル２を同電位にすることができるため、複数のアースコンタクトの金型は必要なく設備投資を低く抑えることが可能となる。
【００５３】  本発明の電気コネクタは、外部に露出したアースコンタクト５の第一接触片５２を複数形成することにより、不慮の力により、一方の第一接触片５２が変形等しても、取り付けパネル２への接触信頼性が高く維持することが可能となる。
【符号の説明】
【００５４】１  電気コネクタ
２  取付パネル
３  コネクタハウジング
４  シールド電線
５  アースコンタクト
６  シールド電線付き電気コンタクト
８  シールドコンタクト
９  内部コンタクト
１１  相手側コネクタ
１２  基板
２１  ねじ用貫通孔
２２  立上り壁
２３  嵌合用貫通孔
３１  コネクタハウジング本体
３２  スライダ係止溝
３３  スライダ係止用突起
３４  パネル取付部
３５  ブッシュ取付貫通孔
３６  ゴムリング取付凹部
３７  アースコンタクト収容部
３７ａ  アースコンタクト収容溝
３７ｂ  第一接触片収容切欠き
３７ｃ  第二接触片収容切欠き
３７ｄ  圧入片収容穴
３７ｅ  圧入片収容穴側壁
４１  芯線
４２  内皮
４３  シールド線
４４  外皮
５１  アースコンタクト本体
５２  第一接触片
５３  第一接触部
５４  第一折り曲げ部
５５  第二接触片
５６  第二接触部
５７  第二折り曲げ部
５８  圧入片
５９  圧入部
６１  スライダ
６２  ワイヤエンドシール
６３  フェルール
６４、６５  ガイド樹脂スリーブ
６６  絶縁キャップ
７１  ゴムリング
７２  ねじ
７３  ブッシュ
【図１】
2016197584.tif 000003
【図２】
2016197584.tif 000004
【図３】
2016197584.tif 000005
【図４】
2016197584.tif 000006
【図５】
2016197584.tif 000007
【図６】
2016197584.tif 000008
【図７】
2016197584.tif 000009
【図８】
2016197584.tif 000010
【図９】
2016197584.tif 000011
【図１０】
2016197584.tif 000012
【図１１】
2016197584.tif 000013
【図１２】
2016197584.tif 000014
【図１３】
2016197584.tif 000015